(57)【要約】      （修正有）【課題】修理作業が容易となり、カスタマイズの作製及び組付けが可能となり、ジグ及び測定工具を必要とせず、組付け作業及び分解作業を行うことが可能な研磨機用モジュール化構造を提供する。【解決手段】その上面のセット位置には、貫通孔を有する立設板１１が設けられる。立設板の上面に階段面が設けられている基板１０と、シャフトを有し、立設板の側面に設けられており、シャフトが貫通孔を挿通し、シャフトに研磨ホイールが組み付けられているモータ２０と、調整ホイールを有する第１変位板と、第１収容穴を有する第１研磨台３２と、から構成される。第１変位板は、基板の上面のセット位置にスライド可能に設けられており、第１変位板の上面に第１研磨台が固定されている第１研磨ユニットと、ブロック４１を有し、ブロックに第２収容穴が設けられ、ブロックが立設板の階段面に固定されている第２研磨ユニット４０と、を含む。【選択図】図４
0003198394.tif 000002
【実用新案登録請求の範囲】
【請求項１】
その上面のセット位置には、貫通孔を有する立設板が設けられており、前記立設板の上面に階段面が設けられている基板と、
シャフトを有し、前記立設板の側面に設けられており、前記シャフトが前記貫通孔を挿通し、前記シャフトに研磨ホイールが組み付けられているモータと、
調整ホイールを有する第１変位板と、第１収容穴を有する第１研磨台と、から構成され、前記第１変位板は、前記基板の上面のセット位置にスライド可能に設けられており、前記第１変位板の上面に前記第１研磨台が固定されている第１研磨ユニットと、
ブロックを有し、前記ブロックに第２収容穴が設けられており、前記ブロックが前記立設板の前記階段面に固定されている第２研磨ユニットと、
を含むことを特徴とする研磨機用モジュール化構造。
【請求項２】
前記モータの前記シャフトと前記研磨ホイールとの間には、スピンドルが組み付けられていることを特徴とする、請求項１に記載の研磨機用モジュール化構造。
【請求項３】
前記第１研磨台は、Ｌ字形を呈し、その後ろ側が枢着部を有し、前記枢着部が前記第１変位板のセット位置に枢着されており、前記第１研磨台は調整溝を有し、前記調整溝により、前記第１研磨台は、前記枢着部を中心として、適当の角度に変位するように調整可能であることを特徴とする、請求項１に記載の研磨機用モジュール化構造。
【請求項４】
更に、第３研磨ユニットを含み、前記第３研磨ユニットは、調整ホイールを有する第２変位板と、第３収容穴を有する第２研磨台と、から構成され、前記第２変位板は、前記基板の上面のセット位置にスライド可能に設けられており、その上面に前記第２研磨台が固定されていることを特徴とする、請求項１に記載の研磨機用モジュール化構造。
【請求項５】
前記第２研磨台は、Ｌ字形を呈し、その後ろ側が枢着部を有し、前記枢着部が前記第２変位板のセット位置に枢着されており、前記第２研磨台は調整溝を有し、前記調整溝により、前記第２研磨台は、前記枢着部を中心として、適当の角度に変位するように調整可能であることを特徴とする、請求項４に記載の研磨機用モジュール化構造。
【請求項６】
更に、第４研磨ユニットを含み、前記第４研磨ユニットは組付けブロックを有し、前記組付けブロックのセット位置に第４収容穴が設けられており、前記組付けブロックのセット位置には、調整ホイールと、固定ツマミと、が設けられており、前記組付けブロックが前記立設板の上面に固定されていることを特徴とする、請求項１に記載の研磨機用モジュール化構造。
【請求項７】
更に、前記モータをカバーする保護カバーを含み、前記保護カバーが前記基板に締結されていることを特徴とする、請求項１に記載の研磨機用モジュール化構造。
【請求項８】
更に、位置決め装置を含み、前記位置決め装置は、軸穴を有するＬ字形プレートと、固定台と、から構成され、前記固定台が前記Ｌ字形プレートのセット位置に固定されており、前記Ｌ字形プレートが前記保護カバーのセット位置に固定されていることを特徴とする、請求項７に記載の研磨機用モジュール化構造。
【請求項９】
更に、物置ユニットを含み、前記物置ユニットは板を組付けて構成され、前記物置ユニットには、切削工具を収容可能な穿孔が設けられており、前記物置ユニットが前記基板のセット位置に固定されていることを特徴とする、請求項１に記載の研磨機用モジュール化構造。
【請求項１０】
更に、旋回可能カバーを含み、前記旋回可能カバーは、前記物置ユニットのセット位置に枢着されており、前記物置ユニットをカバー可能であることを特徴とする、請求項９に記載の研磨機用モジュール化構造。
【請求項１１】
更に、電源ユニットを含み、前記電源ユニットは、前記基板の上面のセット位置に組み付けられており、前記モータの後ろ側に近接し、前記モータと電気的に接続することを特徴とする、請求項１に記載の研磨機用モジュール化構造。
【請求項１２】
前記基板と前記立設板は、位置決めピンによって固定されることを特徴とする、請求項１に記載の研磨機用モジュール化構造。
【請求項１３】
前記立設板と前記第４研磨ユニットの前記組付けブロックは、位置決めピンによって固定されることを特徴とする、請求項６に記載の研磨機用モジュール化構造。
【考案の詳細な説明】
【技術分野】
【０００１】
本考案は、研磨機用モジュール化構造に関し、特に、部材がモジュール化されて組付け作業が簡単となる研磨機用モジュール化構造に関するものである。
【背景技術】
【０００２】
特許文献１の台湾発明Ｉ２７４６２８号は、「調整可能式の携帯可能な切削工具研磨機」を提案した。これは、グリップを有するケースと、内部に動力源が設けられており、伝動装置を介して前記動力源に駆動される研磨ホイールと、研磨しようとするドリルに合わせる切削工具位置決め装置と、前記研磨ホイールの前方に設けられている第１研磨台と、前記研磨ホイールの上方に設けられている第２研磨台と、研磨しようとするドリルを予め挟むジグと、を含む。前記切削工具位置決め装置は、前記ジグと前記ドリルの相対位置を固定する。前記第１研磨台に調整可能な単一軸方向調整装置が設けられており、前記第２研磨台に調整可能な二軸方向調整装置が設けられている。これにより、前記第１研磨台と前記第２研磨台は、研磨しようとするドリルの各ブレードの角度によって調整することが可能である。
【０００３】
上記の切削工具研磨機は、ドリルを研磨することが可能であるが、分解して修理するときに、経験のあるエンジニアが必要であり、そして測定工具、ジグ及び各種類の工具により部材を分解することが必要である。これにより、修理に時間がかなり掛かり、そして修理作業が困難であり、小型の工場にとって、上記の切削工具研磨機を利用することが面倒である。
【０００４】
上記の切削工具研磨機は、多くの部材を組付けて構成されるが、小型の工場にとって、ある部材の利用率が低いが、購入しなければいけないため、コストが増加する。そして部材が多いため、これらを分解することが難しい。
【先行技術文献】
【特許文献】
【０００５】
【特許文献１】台湾発明Ｉ２７４６２８号公報
【考案の概要】
【考案が解決しようとする課題】
【０００６】
本考案の主な目的は、修理作業が容易となり、カスタマイズの作製及び組付けが可能となり、ジグ及び測定工具を必要とせず、組付け作業及び分解作業を行うことが可能な研磨機用モジュール化構造を提供することにある。
【０００７】
本考案の次の目的は、体積が小さくなり、携帯性が極めて良い研磨機用モジュール化構造を提供することにある。
【課題を解決するための手段】
【０００８】
本考案の研磨機用モジュール化構造によると、その上面のセット位置には、貫通孔を有する立設板が設けられており、立設板の上面に階段面が設けられている基板と、
シャフトを有し、立設板の側面に設けられており、シャフトが貫通孔を挿通し、シャフトに研磨ホイールが組み付けられているモータと、
調整ホイールを有する第１変位板と、第１収容穴を有する第１研磨台と、から構成され、第１変位板は、基板の上面のセット位置にスライド可能に設けられており、第１変位板の上面に第１研磨台が固定されている第１研磨ユニットと、
ブロックを有し、ブロックに第２収容穴が設けられており、ブロックが立設板の階段面に固定されている第２研磨ユニットと、
を含むことを特徴とする。
【０００９】
本考案の研磨機用モジュール化構造によると、モータのシャフトと研磨ホイールとの間には、スピンドルが組み付けられていることを特徴とする。
【００１０】
本考案の研磨機用モジュール化構造によると、第１研磨台は、Ｌ字形を呈し、その後ろ側が枢着部を有し、枢着部が第１変位板のセット位置に枢着されており、第１研磨台は調整溝を有し、調整溝により、第１研磨台は、枢着部を中心として、適当の角度に変位するように調整可能であることを特徴とする。
【００１１】
本考案の研磨機用モジュール化構造によると、更に、第３研磨ユニットを含み、第３研磨ユニットは、調整ホイールを有する第２変位板と、第３収容穴を有する第２研磨台と、から構成され、第２変位板は、基板の上面のセット位置にスライド可能に設けられており、その上面に第２研磨台が固定されていることを特徴とする。
【００１２】
本考案の研磨機用モジュール化構造によると、第２研磨台は、Ｌ字形を呈し、その後ろ側が枢着部を有し、枢着部が第２変位板のセット位置に枢着されており、第２研磨台は調整溝を有し、調整溝により、第２研磨台は、枢着部を中心として、適当の角度に変位するように調整可能であることを特徴とする。
【００１３】
本考案の研磨機用モジュール化構造によると、更に、第４研磨ユニットを含み、第４研磨ユニットは組付けブロックを有し、組付けブロックのセット位置に第４収容穴が設けられており、組付けブロックのセット位置には、調整ホイールと、固定ツマミと、が設けられており、組付けブロックが立設板の上面に固定されていることを特徴とする。
【００１４】
本考案の研磨機用モジュール化構造によると、更に、モータをカバーする保護カバーを含み、保護カバーが基板に締結されていることを特徴とする。
【００１５】
本考案の研磨機用モジュール化構造によると、更に、位置決め装置を含み、位置決め装置は、軸穴を有するＬ字形プレートと、固定台と、から構成され、固定台がＬ字形プレートのセット位置に固定されており、Ｌ字形プレートが保護カバーのセット位置に固定されていることを特徴とする。
【００１６】
本考案の研磨機用モジュール化構造によると、更に、物置ユニットを含み、物置ユニットは若干の板を組付けて構成され、物置ユニットには、切削工具を収容可能な穿孔が若干設けられており、物置ユニットが基板のセット位置に固定されていることを特徴とする。
【００１７】
本考案の研磨機用モジュール化構造によると、更に、旋回可能カバーを含み、旋回可能カバーは、物置ユニットのセット位置に枢着されており、物置ユニットをカバー可能であることを特徴とする。
【００１８】
本考案の研磨機用モジュール化構造によると、更に、電源ユニットを含み、電源ユニットは、基板の上面のセット位置に組み付けられており、モータの後ろ側に近接し、モータと電気的に接続することを特徴とする。
【００１９】
本考案の研磨機用モジュール化構造によると、基板と立設板は、若干の位置決めピンによって固定されることを特徴とする。
【００２０】
本考案の研磨機用モジュール化構造によると、立設板と第４研磨ユニットの組付けブロックは、若干の位置決めピンによって固定されることを特徴とする。
【考案の効果】
【００２１】
本考案の研磨機用モジュール化構造によれば、次のような効果がある。
（１）修理作業が容易となり、カスタマイズの作製及び組付けが可能となり、ジグ及び測定工具が必要せず、組付け作業及び分解作業を行うことが可能である。
【００２２】
（２）体積が小さくなり、携帯性が極めて良い。
【図面の簡単な説明】
【００２３】
【図１】本考案の一実施形態を示す分解斜視図１である。
【図２】本考案の一実施形態を示す分解斜視図２である。
【図３】本考案の一実施形態を示す分解斜視図３である。
【図４】本考案の一実施形態の組合済み状態を示す斜視図である。
【図５】本考案の一実施形態を示す別の分解斜視図である。
【図６】本考案の一実施形態の組合済み状態を示す別の斜視図である。
【図７】本考案の一実施形態により切削工具を研磨する状態を示す外観図である。
【図８】別の視点から本考案の一実施形態を見た斜視図である。
【図９】本考案の一実施形態に係る物置部材の旋回可能カバーが開けられた状態を示す斜視図である。
【考案を実施するための形態】
【００２４】
以下、本考案の実施の形態を図面に基づいて説明する。
本実施形態に係る研磨機用モジュール化構造は、基板１０と、モータ２０と、第１研磨ユニット３０と、第２研磨ユニット４０と、を含む。
【００２５】
基板１０の上面のセット位置には、貫通孔１１１を有する立設板１１が設けられている。立設板１１の上面に階段面１１２が設けられている。
【００２６】
モータ２０は、シャフト２１を有し、立設板１１の側面に設けられている。シャフト２１は貫通孔１１１を挿通する。シャフト２１に研磨ホイール２２が組み付けられている。
【００２７】
第１研磨ユニット３０は、調整ホイール３１１を有する第１変位板３１と、第１収容穴３２１を有する第１研磨台３０と、から構成される。第１変位板３１は、基板１０の上面のセット位置にスライド可能に設けられている。第１変位板３１の上面に第１研磨台３２が固定されている。
【００２８】
第２研磨ユニット４０は、図４に示すように、ブロック４１を有する。ブロック４１に第２収容穴４１１が設けられている。ブロック４１は立設板１１の階段面１１２に固定されている。
【００２９】
モータ２０のシャフト２１と研磨ホイール２２との間には、図１に示すように、スピンドル２３が組み付けられている。
【００３０】
第１研磨台３２は、Ｌ字形を呈し、その後ろ側が枢着部（図示せず）を有する。前記枢着部は第１変位板３１のセット位置に枢着されている。第１研磨台３２は調整溝３２３を有する。調整溝３２３により、第１研磨台３２は、図２に示すように、前記枢着部を中心として、適当の角度に変位するように調整可能である。
【００３１】
更に、第３研磨ユニット５０を含む。第３研磨ユニット５０は、調整ホイール５１１を有する第２変位板５１と、第３収容穴５２１を有する第２研磨台５２と、から構成される。第２変位板５１は、図２及び図３に示すように、基板１０の上面のセット位置にスライド可能に設けられており、その上面に第２研磨台５２が固定されている。
【００３２】
図２及び図３を参照する。第２研磨台５２は、Ｌ字形を呈し、その後ろ側が枢着部５２２を有する。枢着部５２２は第２変位板５１のセット位置に枢着されている。第２研磨台５２は調整溝５２３を有する。調整溝５２３により、第２研磨台５２は、枢着部５２２を中心として、適当の角度に変位するように調整可能である。
【００３３】
図３及び図４を参照する。更に、第４研磨ユニット６０を含む。第４研磨ユニット６０は組付けブロック６１を有する。組付けブロック６１のセット位置に第４収容穴６１１が設けられている。組付けブロック６１のセット位置には、調整ホイール６２と、固定ツマミ６３と、が設けられている。組付けブロック６１は立設板１１の上面に固定されている。
【００３４】
図５及び図６を参照する。更に、モータ２０をカバーする保護カバー７０を含む。保護カバー７０は基板１０に締結されている。
【００３５】
更に、図５及び図６に示すように、位置決め装置８０を含む。位置決め装置８０は、軸穴８１１を有するＬ字形プレート８１と、固定台８２と、から構成される。固定台８２はＬ字形プレート８１のセット位置に固定されている。Ｌ字形プレート８１は保護カバー７０のセット位置に固定されている。
【００３６】
更に、図５に示すように、物置ユニット９０を含む。物置ユニット９０は若干の板９１を組付けて構成される。物置ユニット９０には、切削工具（図示せず）を収容可能な穿孔９２が若干設けられている。物置ユニット９０は基板１０のセット位置に固定されている。
【００３７】
図８及び図９を参照する。更に、旋回可能カバー９３を含む。旋回可能カバー９３は、物置ユニット９０のセット位置に枢着されており、物置ユニット９０をカバー可能である。
【００３８】
図６を参照する。更に、電源ユニット１００を含む。電源ユニット１００は、基板１０の上面のセット位置に組み付けられており、モータ２０の後ろ側に近接し、モータ２０と電気的に接続する。
【００３９】
基板１０と立設板１１は、図１に示すように、外ねじ段Ａ１を有する若干の位置決めピンＡによって固定される。これにより、基板１０と立設板１１の相対位置が固定される。
【００４０】
立設板１１と第４研磨ユニット６０の組付けブロック６１は、図３に示すように、外ねじ段Ａ１を有する若干の位置決めピンＡによって固定される。これにより、立設板１１と第４研磨ユニット６０の相対位置が固定される。
【００４１】
上記の構成によれば、本実施形態に係る各研磨ユニットを組付けた後、図７に示すように、第１研磨ユニット３０の第１収容穴３２１に、切削工具Ｃを固定する円筒状挟み部材Ｂを入れて、モータ２０を駆動して、モータ２０のシャフト２１が研磨ホイール２２を駆動して、研磨ホイール２２により切削工具Ｃのブレードを研磨することが可能である。全体の操作方式は極めて簡単である。
【００４２】
特に、本考案に係る各部材がモジュール化に設計されるため、基板１０に若干の等距離の穴が設けられており、基板１０の上面に立設板１１を締め付けると、立設板１１にモータ２０を固定することが可能であり、そして第１研磨ユニット３０と第２研磨ユニット４０とを組付けることも可能である。これにより、ユーザは適当の部材を選択して便利に組付けることが可能であり、小型の工場や家庭式の外注メーカは、本考案に係る研磨機用モジュール化構造を容易に利用するも可能である。
【００４３】
もちろん、第３研磨ユニット５０と第４研磨ユニット６０とを別に購入して組付けることが可能である。これにより、異なる寸法を有する切削工具を研磨することが可能となる。また、位置決め装置８０を購入して組付けることにより、研磨しようとする切削工具を位置決めすることが可能である。物置ユニット９０を購入して組付けることにより、物置ユニット９０に複数の切削工具を収納して整理することが可能であり、全体の体積が小さくなり、携帯性も良くなる。そして修理作業が容易となり、カスタマイズの作製及び組付けが可能となり、ジグ及び測定工具が必要せず、組付け作業及び分解作業を行うことが可能である。
【産業上の利用可能性】
【００４４】
本考案は、研磨機に適用することができる。
【符号の説明】
【００４５】
１０  基板
１１  立設板
２０  モータ
２１  シャフト
２２  研磨ホイール
２３  スピンドル
３０  第１研磨ユニット
３１  第１変位板
３２  第１研磨台
４０  第２研磨ユニット
４１  ブロック
５０  第３研磨ユニット
５１  第２変位板
５２  第２研磨台
６０  第４研磨ユニット
６１  組付けブロック
６２  調整ホイール
６３  固定ツマミ
７０  保護カバー
８０  位置決め装置
８１  Ｌ字形プレート
８２  固定台
９０  物置ユニット
９１  板
９２  穿孔
９３  旋回可能カバー
１００  電源ユニット
１１１  貫通穴
１１２  階段面
３１１  調整ホイール
３２１  第１収容穴
３２３  調整溝
４１１  第２収容穴
５１１  調整ホイール
５２１  第３収容穴
５２２  枢着部
５２３  調整溝
６１１  第４収容穴
８１１  軸穴
Ａ  位置決めピン
Ａ１  外ねじ段
Ｂ  円筒状挟み部材
Ｃ  切削工具
【図１】
0003198394.tif 000003
【図２】
0003198394.tif 000004
【図３】
0003198394.tif 000005
【図４】
0003198394.tif 000006
【図５】
0003198394.tif 000007
【図６】
0003198394.tif 000008
【図７】
0003198394.tif 000009
【図８】
0003198394.tif 000010
【図９】
0003198394.tif 000011